(57)【要約】【課題】照明設備が整っていない場所でも精密に切断作業を行なうことが可能となるカッターナイフを提供する。【解決手段】カッターナイフ１は、刃先部２ａおよび刃先先端部２ｂを有し被切断物を切断する刃２と、金属製のガイド５を介して刃２を保持するホルダ３と、刃２の刃先先端部２ｂおよびその近傍の部分に光を照射する照明装置６とを備える。照明装置６は、刃先部２ａの直下であって刃先先端部２ｂ側に位置するホルダ３の端部に設置される。【選択図】　　　　図１
2004141251.tif 000002
【特許請求の範囲】
【請求項１】
被切断物を切断する刃と、
前記刃を保持するホルダと、
前記刃の刃先部に光を照射する照明装置と、
を備えた、カッターナイフ。
【請求項２】
前記照明装置は、前記ホルダにおいて前記刃先部側を保持する部分に設置される、請求項１に記載のカッターナイフ。
【請求項３】
前記ホルダは、前記照明装置の電源を収容する電源収容部と、スイッチを介して前記電源と電気的に接続される前記照明装置の光源と、前記刃を案内するガイドとを備え、
前記ガイドを介して前記電源と前記光源とを電気的に接続した、請求項１または請求項２に記載のカッターナイフ。
【発明の詳細な説明】
【０００１】
【発明の属する技術分野】
本発明は、カッターナイフに関し、特に、刃先部を照らす照明装置を備えたカッターナイフに関する。
【０００２】
【従来の技術】
従来から、カッターナイフを用いて被切断物を正確に切断することができるように種々の提案がなされている。たとえば、特開平１１−３１９３３６号公報では、片手で扱って壁面のクロス下端縁を所望の位置で正確に切断できるようにガイド部を設けたカッターナイフが開示されている。
【０００３】
また、特開平１１−１７９０７３号公報では、棒状材や筒状材のような凸曲面や紙箱の折り目部の稜線などを定規を用いることなく素早く正確に筋目切りをすることができるように板状刃の刃先を挟んで左右に一対のガイドを設けたカッターナイフが開示されている。
【０００４】
【特許文献１】
特開平１１−３１９３３６号公報
【０００５】
【特許文献２】
特開平１１−１７９０７３号公報
【０００６】
【発明が解決しようとする課題】
たとえば建築現場での作業、夜間工事、倉庫内での作業のように照明設備が整っていない場所でカッターナイフを用いて切断作業をする場合、作業者の手元が暗くなることが多いので、通常は仮設照明によって作業者の手元を照らしながら切断作業を行なう。
【０００７】
しかし、仮設照明によって作業者の手元を照らそうとしても、仮設照明の設置可能な位置や作業者の作業場所等によっては作業者自身の影が作業者の手元と重り作業者の手元に充分に光をあてることができない場合があり、また手元に光をあてるために無理な姿勢で作業者が切断作業を行なう必要が生じる場合もある。そのため、照明設備が整っていない場所で精密な切断作業を行なうことは困難であった。
【０００８】
たとえ前述のような作業性に優れたカッターナイフを使用したとしても、作業者の手元、すなわちカッターナイフの刃先部あるいはその近傍が暗いままでは、精密な切断作業は困難となる。
【０００９】
本発明は上述の課題を解決するためになされたものである。本発明の目的は、照明設備が整っていない場所でも精密に切断作業を行なうことが可能なカッターナイフを提供することにある。
【００１０】
【課題を解決するための手段】
本発明に係るカッターナイフは、被切断物を切断する刃と、刃を保持するホルダと、刃の刃先部に光を照射する照明装置とを備える。該照明装置の電源は、カッターナイフ本体に内蔵されるものであってもよく、外部電源から電力を供給するものであってもよい。
【００１１】
上記のようにカッターナイフに照明装置を設けることにより、被切断物を切断する際に照明装置で刃先部に光を照射することができる。それにより、被切断物の切断時に刃先部およびその近傍に確実に光をあてることができ、照明設備が整っていない場所でもカッターナイフを用いて精密に切断作業を行なうことが可能となる。
【００１２】
上記照明装置は、好ましくは、ホルダにおいて刃先部側を保持する部分に設置される。それにより、刃先部側から刃先部に光を照射することができ、たとえば図８に示すように光の照射領域に刃の影を作り出すことができる。この刃の影を利用して刃先の位置合わせを正確に行なうことができる。
【００１３】
上記ホルダは、好ましくは、照明装置の電源を収容する電源収容部と、スイッチを介して電源と電気的に接続される照明装置の光源と、刃を案内するガイドとを備え、ガイドを介して電源と光源とを電気的に接続することが好ましい。このように刃を案内するガイドを電気回路の一部として使用することにより、該電気回路を形成するための配線構造を簡素化することができる。
【００１４】
【発明の実施の形態】
以下、図１〜図９を用いて、本発明の実施の形態について説明する。図１は本発明の１つの実施の形態におけるカッターナイフ１の正面図であり、図２はカッターナイフ１の背面図であり、図３はカッターナイフ１の断面図であり、図４はカッターナイフ１の底面図であり、図５〜図６はそれぞれカッターナイフ１の側面図である。
【００１５】
図１から図６に示すように、カッターナイフ１は、刃（ブレード）２と、ホルダ３と、スライダ４と、ガイド５と、照明装置６と、電源収容部７と、スイッチ９と、電源１１とを備える。
【００１６】
刃２は、板状であり、幅方向の一端側に刃先部２ａを有する。刃先部２ａは刃２の長手方向に延在する。この刃先部２ａにおける刃２の長手方向の先端部、つまり刃先部２ａの延在方向における刃先部２ａの先端部を、本願明細書では、「刃先先端部２ｂ」と称する。通常は該刃先先端部２ｂを被切断物の所望の位置に押し込み、切断を開始する。
【００１７】
ホルダ３は、刃２をスライド移動可能に保持するとともに作業者が手で持って切断作業を行なう部分であり、典型的にはプラスチックで構成される。スライダ４は、刃２に固定され、刃２をガイド５に沿ってスライド移動させる際に作業者が手で押圧する部分である。ガイド５は、刃２をスライド移動させる際に刃２を案内し支持する機能を有し、典型的には、ステンレス鋼等の金属で構成される。
【００１８】
照明装置６は、図１，２，６に示すように、典型的にはホルダ３において刃先部２ａ側を保持する部分に設置することが好ましい。より具体的には、刃先部２ａの直下であって刃先先端部２ｂ側に位置するホルダ３の端部に設置することが好ましい。
【００１９】
上記のように照明装置６を備えることにより、被切断物を切断する際に照明装置６で刃先部２ａに光を照射することができる。それにより、被切断物の切断時に刃先部２ａおよびその近傍に確実に光をあてることができ、照明設備が整っていない場所でもカッターナイフ１を用いて精密に切断作業を行なうことが可能となる。また、刃先部２ａ側から刃先部２ａに光を照射することにより、たとえば図８に示すように光の照射領域１４に刃の影１５を作り出すことができる。この刃の影１５を利用して刃先部２ａの位置合わせを正確に行なうことができる。
【００２０】
照明装置６は、たとえば光源としての電球８と、スイッチ９とを有する。電球８としては、いわゆるニップル球と呼ばれるもの以外に、白熱電球、アーク燈、グローランプ、水銀蒸気ランプ、蛍光灯、発光ダイオード（ＬＥＤ：Ｌｉｇｈｔ　Ｅｍｉｔｔｉｎｇ　Ｄｉｏｄｅ）など光を照射できるものであれば使用可能である。電球８は、図２に示すように、導体部８ａ，８ｂを有し、導体部８ｂはガイド５と電気的に接続される。また、電球８は周囲に反射板を有しており、電球８から出射された光は、該反射板に反射して前方に集められ、刃先部２ａ、特に刃先先端部２ｂに照射される。
【００２１】
スイッチ９は、典型的には手動スイッチであり、ホルダ３を手で握った際に指でＯＮ／ＯＦＦ操作できるように照明装置６において刃先先端部２ｂから離れた側、つまり照明装置６の後方側に配置されることが好ましい。それにより、カッターナイフ１を片手で持ったままでスイッチ９をＯＮ／ＯＦＦ操作することができる。
【００２２】
図２の例では、スイッチ９は、電球８の一方の導体部８ａと、電源１１と電気的に接続された導体部１０と、これらを覆う半硬質ゴムとで構成される。導体部１０を弾性変形可能な金属プレート等で構成しておき、該導体部１０を予め導体部８ａと離間させておく。そして、半硬質ゴムの箇所を作業者が手で押圧することにより、導体部１０が弾性変形して導体部８ａと接触し、電源１１と電球８とが電気的に接続される。それにより、電球８に通電することができ、電球８が点灯する。
【００２３】
なお、スイッチ９としては、光源をＯＮ／ＯＦＦ制御できるものであれば上記以外の任意の形態のスイッチを採用することができる。たとえば、押ボタンスイッチを使用することもできる。また、半硬質ゴムを他の絶縁性の材質で構成することも可能である。
【００２４】
さらに、図２の例では、照明装置６はホルダ３に固定されているが、照明装置６を回動可能にホルダ３に取付けてもよい。具体的には、図２において矢印で示すように、電球８の先端が刃先部２ａに近づく方向、あるいは刃先部２ａから離れる方向に移動可能となるように照明装置６をホルダ３に取付けてもよい。それにより、必要に応じて電球８からの光の照射方向を調節することができ、あらゆる条件下で刃先先端部２ｂに電球８からの光を照射することができる。
【００２５】
電源収容部７は、図３〜図６に示すように側方に突出するようにホルダ３に設けられ、内部に直列に接続された電源１１を有する。本実施の形態では、図３に示すように電源１１として２個の乾電池を直列に接続したものを使用しているが、光源に電力を供給できるものであれば乾電池以外の電源を採用することも可能である。
【００２６】
上記のように電源収容部７をホルダ３の側部に設けることにより、ホルダ３の幅を厚くすることができ、ホルダ３の形状を作業者が手で持ちやすい形状とすることができる。それにより、切断作業を容易に行なうことができ、精密な切断作業をより正確に行なうことが可能となる。
【００２７】
図９に示すように、電源１１の陽極は、導体部１０を介して電球８の一方の導体部８ａと電気的に接続され、電源１１の陰極は、金属製のガイド５を介して電球８の他方の導体部８ｂと電気的に接続される。このように本実施の形態におけるカッターナイフ１では、ガイド５をも電気回路を構成する一要素として使用している。それにより、該電気回路を形成するための配線構造を簡素化することができる。
【００２８】
次に、本実施の形態におけるカッターナイフ１を用いて紙等の被切断物を切断する方法について説明する。
【００２９】
まず図２に示すスイッチ９を押圧して導体部１０と導体部８ａとを接触させて電球８に通電し、電球８を点灯させる。この状態で図７に示すように被切断物１２上の所望の位置に刃先先端部２ｂを配置する。
【００３０】
このとき、照明装置６を刃先部２ａの下に設置することにより、図７に示すように、刃先部２ａ側から刃２の刃先先端部２ｂおよび被切断物１２に光１３を照射することができる。
【００３１】
また、被切断物１２に対するカッターナイフ１の傾斜角度を適切に調節することによって、図８に示すように、被切断物１２の表面において光１３が照射される照光領域１４に刃２の影１５が現れるようにすることができる。
【００３２】
この影１５の先端の位置を所望の位置とすることにより、カッターナイフ１による切断開始位置を正確に選択することができる。たとえば建築物の内装関係の仕上げ作業においてメジャーと刃先先端部２ｂの位置合わせを正確に行なうことができ、刃先先端部２ｂでマーキング等を正確に行なうことができる。
【００３３】
その後は、電球８からの光１３によって被切断物１２を視認しながら高精度に切断作業を行なうことができ、照明設備が整っていない場所でもカッターナイフ１を用いて精密に切断作業を行なうことが可能となる。
【００３４】
なお、照明装置６を回動可能とした場合には、照明装置６の傾斜角度を適切に調節することで、刃先先端部２ｂに電球８からの光１３を確実に照射することができる。この場合にも、照明設備が整っていない場所において精密な切断作業を行なうことができる。
【００３５】
以上のように本発明の実施の形態について説明を行なったが、本発明は上記の実施の形態に限定されるものではない。本発明の範囲は特許請求の範囲によって示され、特許請求の範囲と均等の意味および範囲内での全ての変更が含まれる。
【図面の簡単な説明】
【図１】本発明の１つの実施の形態におけるカッターナイフの正面図である。
【図２】本発明の１つの実施の形態におけるカッターナイフの背面図である。
【図３】本発明の１つの実施の形態におけるカッターナイフの断面図である。
【図４】本発明の１つの実施の形態におけるカッターナイフの底面図である。
【図５】本発明の１つの実施の形態におけるカッターナイフを後方側から見た側面図である。
【図６】本発明の１つの実施の形態におけるカッターナイフを前方側（刃先先端部側）から見た側面図である。
【図７】本発明の１つの実施の形態におけるカッターナイフを用いて被切断物を切断している様子を示す模式図である。
【図８】本発明の１つの実施の形態におけるカッターナイフを用いて切断する際の光の照射領域と刃の影との関係の一例を示す模式図である。
【図９】本発明の１つの実施の形態におけるカッターナイフにおいて採用する電気回路の一例を説明するための模式図である。
【符号の説明】
１　カッターナイフ、２　刃、２ａ　刃先部、２ｂ　刃先先端部、３　ホルダ、４　スライダ、５　ガイド、６　照明装置、７　電源収容部、８　電球、８ａ，８ｂ，１０　導体部、９　スイッチ、１１　電源、１２　被切断物、１３　光、１４　照光領域、１５　影。
【図１】
2004141251.tif 000003
【図２】
2004141251.tif 000004
【図３】
2004141251.tif 000005
【図４】
2004141251.tif 000006
【図５】
2004141251.tif 000007
【図６】
2004141251.tif 000008
【図７】
2004141251.tif 000009
【図８】
2004141251.tif 000010
【図９】
2004141251.tif 000011